(57)【要約】【課題】密着度が高く、光線の混合効果がよく、高解像度となる効果を得るフルカラーのLED看板を提供する。【解決手段】２個の赤色のLED、１個の緑色のLEDと、１個の青色のLEDから成り、LEDは縦式で田字状に配列して配置され、各LEDの上端は多角形であり、それぞれのフルカラーの発光ユニットの上端は多角形であり、隣接するそれぞれのLEDの間隔は1.2mmより小さいか同じで、隣接するそれぞれの発光ユニットのセンターの隙間は8mmより小さいか同じであることを特徴とする。【選択図】    図8
0003125790.tif 000002
【実用新案登録請求の範囲】
【請求項１】
田字状に配列された４個のLEDを含むフルカラーの発光ユニットであって、
各LEDの上端が多角形であり、且つ、相隣するそれぞれのLEDの隙間は1.2mmより小さいか同じであるであることを特徴とするフルカラーの発光ユニット。
【請求項２】
前記LEDは縦式のLEDであることを特徴とする請求項１に記載のフルカラーの発光ユニット。
【請求項３】
前記LEDの上端が四角形であることを特徴とする請求項1に記載のフルカラーの発光ユニット。
【請求項４】
前記LEDの上端が台形であることを特徴とする請求項1に記載のフルカラーの発光ユニット。
【請求項５】
前記LEDの上端が三角形であることを特徴とする請求項1に記載のフルカラーの発光ユニット。
【請求項６】
前記フルカラーの発光ユニットの上端が多角形であることを特徴とする請求項1に記載のフルカラーの発光ユニット。
【請求項７】
前記LEDに赤色のLED、緑色のLED、青色のLEDを含むことを特徴とする請求項1に記載のフルカラーの発光ユニット。
【請求項８】
前記LEDに２個の赤色のLED、１個の緑色のLED、１個の青色のLEDを含むことを特徴とする請求項7に記載のフルカラーの発光ユニット。
【請求項９】
田字状に配列された前記２個の赤色のLEDは相隣しないことを特徴とする請求項8に記載のフルカラーの発光ユニット。
【請求項１０】
前記フルカラーの発光ユニットはダミー画素に応じて制御技術を表示することを特徴とする請求項9に記載のフルカラーの発光ユニット。
【請求項１１】
フルカラーの発光ユニットを複数含むフルカラーのLED看板であって、前記フルカラーの発光ユニットは４個のLEDからなり、前記LEDは田字状に配列されており、各LEDの上端は多角形であり、相隣するそれぞれのLEDの隙間は1.2mmより小さいか同じで、相隣するそれぞれの発光ユニットのセンターの隙間は8mmより小さいか同じであることを特徴とする請求項11に記載のフルカラーのLED看板。
【請求項１２】
前記LEDは縦式のLEDであることを特徴とする請求項1に記載のフルカラーのLED看板。
【請求項１３】
前記LEDの上端が四角形であることを特徴とする請求項1に記載のフルカラーのLED看板。
【請求項１４】
前記LEDの上端が台形であることを特徴とする請求項1に記載のフルカラーのLED看板。
【請求項１５】
前記LEDの上端が三角形であることを特徴とする請求項1に記載のフルカラーのLED看板。
【請求項１６】
前記フルカラーの発光ユニットの上端が多角形であることを特徴とする請求項1に記載のフルカラーのLED看板。
【請求項１７】
前記LEDに赤色のLED、緑色のLED、青色のLEDを含むことを特徴とする請求項1に記載のフルカラーのLED看板。
【請求項１８】
前記LEDに２個の赤色のLEDと、１個の緑色のLEDと、１個の青色のLEDを含むことを特徴とする請求項1に記載のフルカラーのLED看板。
【請求項１９】
田字状に配列された前記２個の赤色のLEDは相隣しないことを特徴とする請求項1に記載のフルカラーのLED看板。
【請求項２０】
前記フルカラーの発光ユニットはダミー画素に応じて制御技術を表示することを特徴とする請求項1に記載のフルカラーのLED看板。
【考案の詳細な説明】
【技術分野】
【０００１】
本考案は フルカラー発光ユニットとフルカラー発光ユニットを運用するフルカラーＬＥＤ看板に関し、特に、上端が多角形であり、間隔が極端に狭い三色のＬＥＤの組み合わせであり、上述の三色のＬＥＤの組み合わせによって、密着度を高め、光線の混合効果がよく、高解像度となるフルカラーＬＥＤ看板である。
【背景技術】
【０００２】
ＬＥＤ（Light Emitting Diode、発光ダイオード）は、近年の科学技術の発展において極めて重要なものであり、既に四十数年前に誕生した赤色ＬＥＤは、III−Ｖ族の材料研究を大きく進歩させた。その後、緑色ＬＥＤと黄色ＬＥＤが発見され、多くの光電気産業が相次いでＬＥＤ製品の研究開発、製造に乗り出した。AlGaN窒素化アルミニウムカリウムの材料の発見により、更に光度の最も高い青色ＬＥＤと緑色ＬＥＤがもたらされ、ここにおいて、赤色ＬＥＤ、青色ＬＥＤ、緑色ＬＥＤの基本三原色の光源がついに揃い、モニター（ディスプレー装置）がフルカラーの機能を有した。近年、更にフルカラーＬＥＤのモニター看板が従来からある看板に取って代わりつつあり、その主な理由は、ＬＥＤの外装パッケージの小型化、平面化、低い発熱量、長い寿命、高い耐震性、直接光の出力、色の正確さなどのほか、ＬＥＤの光度と歩留が日を追って上がっており、ＬＥＤの製造コストが下がっていることもフルカラーＬＥＤモニター看板が普及する理由の一つである。
【０００３】
目下のところ、市場でみられる主なフルカラーＬＥＤモニター看板は、ＬＥＤランプタイプとＳＭＤ(Surface
Mounting Device、表面装備デバイス)のＬＥＤタイプがあり、これらの最大の違いはフルカラーＬＥＤ看板の基本フルカラー発光ユニットが三色ＬＥＤの電球？であるか三色ＳＭＤ―ＬＥＤであるかである。図１が示すのは、従来型のフルカラーＬＥＤ構造の概略図である。従来のフルカラーＬＥＤの構造は三色の縦型ＬＥＤ（１０、１０‘、１１、１２）が回路基板（１３）と電気的に接続し、しかしながら三色の縦型ＬＥＤ（１０、１０‘、１１、１２）は同一平面上にそれぞれ別々に配列し、かつパッケージ後に対してそれぞれの色のランプの体積が大きく、それぞれ隣接する縦型ＬＥＤの中心の間の距離が長く、そこで三色のＬＥＤ（１０、１０‘、１１、１２）が結合しても密着度が高くなく、光線の混合効果もひどく、解像度も低いので、至近距離で見ると、やはり赤、青、緑の三色に見え、フルカラーの効果を大きく損なう。
【０００４】
図２が示すのは、三色のＳＭＤ―ＬＥＤの構造概略図である。三色ＳＭＤ―ＬＥＤ(Surface Mounting Device LED、表面装備デバイスＬＥＤ）は、たとえば、台湾特許番号第Ｍ253059号の三色層型のフルカラー発光ダイオードがあり、赤色ＬＥＤのダイス（２０）によって構成される回路基板、それぞれ独立した発光部品であり、前述の赤色ＬＥＤ（２０）の表面に並列して層状に結合しており、赤色ＬＥＤのダイス（２０）を完全には覆わずに赤色の光が放射する面を残して、フルカラー発光ユニット（２）を形成する青色ＬＥＤのダイス（２１）と緑色ＬＥＤのダイス（２２）を含む。しかしながら、赤色ＬＥＤ、青色ＬＥＤ、緑色ＬＥＤはＳＭＤ―ＬＥＤであるため、その放熱効果は縦型のＬＥＤに比べて低く、ゆえに発光する際に発生させる熱量が比較的高く、かつ三色ＳＭＥ―ＬＥＤが同時に発光する際、フルカラー発光ユニットの中の赤色ＬＥＤと、青色ＬＥＤ、緑色ＬＥＤの間の距離が足りず、放熱効果が更に下がり、ＳＭＤ―ＬＥＤの寿命を縮め、ひいては高温により既存するおそれがある。ただし、もし上述の状況発生を防止するために隣接するＳＭＤ―ＬＥＤの間の距離を広げると、三色の縦型ＬＥＤと同じく、密着度が高くなく、光線の混合効果もひどく、解像度も低いという問題が生じる。
【０００５】
従来型の技術ではフルカラーＬＥＤモニター看板に関して三色のＬＥＤもしくは三色のＳＭＤ―ＬＥＤを用いて基本のフルカラー発光ユニット方式としており、現在のフルカラー効果と放熱の際の安全については、全面的に完全な解決策を見出すことはできない。そこで、完全なフルカラーＬＥＤモニター看板の基本フルカラー発光ユニットを提供することが切に必要とされている。
【特許文献１】台湾特許番号第Ｍ253059号
【考案の開示】
【考案が解決しようとする課題】
【０００６】
本考案の主な目的はフルカラー発光ユニットの提供にあり、異なる色のＬＥＤを組み合わせることで密着度を高め、光線の混合効果も高めた発光ユニットである。
【０００７】
本考案のもう一つの目的はフルカラーＬＥＤ看板の提供にあり、上述のＬＥＤの運用を組み合わせて密着度を高め、光線の混合効果を上げた、高解像度のＬＥＤ看板である。
【０００８】
本考案はフルカラーＬＥＤに適用されるフルカラー発光ユニットを提供し、前記フルカラー発光ユニットは、２個の赤色のLED、１個の緑色のLED、１個の青色のLEDを含み、前記LEDは田字状に配列して配置され、かつ縦型のＬＥＤであり、その特徴は、各LEDの上端は、例えば四角形、台形或いは三角形、台形、三角形といった多角形であり、それぞれ隣接するLEDとの間隔は1.2mm以下で、かつ前記フルカラー発光ユニットの上端面は、例えば四角形、台形或いは六角形といった多角形である。
【０００９】
このほか、本考案はフルカラー発光ユニットを複数含むフルカラーＬＥＤ看板も提供し、その特徴は、前記フルカラー発光ユニットが２個の赤色LED、１個の緑色LED、１個の青色LEDから成り、前記LEDは縦式ＬＥＤで、田字状に配列して配置され、各LEDの上端面はどれも、例えば四角形、台形或いは三角形といった多角形であり、フルカラー発光ユニットの上端面はどれも、たとえば四角形、台形或いは六角形といった多角形であり、隣接するそれぞれのLEDとの間隔は1.2mm以下であり、隣接するフルカラー発光ユニットの中心の距離はどれも8mm以下である。
【００１０】
この分野に精通した技術者が本考案の目的、特徴及び効果を理解できるよう、下記の具体的な実施例、並びに付属の図式を用いて、下記に本考案を詳しく説明する。
【考案を実施するための最良の形態】
【００１１】
図３が示すのは本考案の本考案の好ましい実施例の立体図その１であり、図４が示すのは本考案の好ましい実施例の構造概略図である。本考案はフルカラーＬＥＤ看板（図は省略）に適用されるフルカラー発光ユニットを提供し、田字状に配列して配置された４個のＬＥＤを含み、前記ＬＥＤは、２個の赤色LED（３０、３０‘）、１個の緑色LED（３１）、１個の青色LED（３２）から構成され、かつ前記ＬＥＤ（３０、３０’、３１、３２）は縦型ＬＥＤであり、その特徴は、各ＬＥＤ（３０、３０’、３１、３２）の上端面は、どれも多角形であり、それぞれ隣接するLEDとの距離は1.2mm以下で、かつ前記フルカラー発光ユニットの上端面は多角形である。上述の田字状に配列して配置されたＬＥＤ（３０、３０’、３１、３２）はダミー画素に応じて制御技術を表示してモニターの明瞭度を高め、その内、ダミー画素が示す制御技術は画素を何度も使用する方式の制御技術で、解像度を高めることでイメージ効果をすばらしいものとし、そのため、イメージを表示する際、同程度の画素数のＬＥＤディスプレイ方式による実際の画素に比べて、ダミー画素の表示する制御技術は実際の画素の四倍の明瞭度を有する。そこで、ダミー画素は実際の画素に対し四分の一の面積しか必要とせずに同等の表示効果を得ることができる。
【００１２】
図５が示すのは、本考案の好ましい実施例の構造概略図その２である。本実
施例と実施例その１の違いは、前記ＬＥＤの上端面が四角形から台形に代わっ
たことである。
【００１３】
図６が示すのは、本考案の好ましい実施例の構造概略図その３である。本実
施例と実施例その１の違いは、前記ＬＥＤの上端面が四角形から三角形に代わ
ったことである。
【００１４】
図７が示すのは、本考案の好ましい実施例の構造概略図その４である。本実施例と実施例その１の違いは、前記ＬＥＤの上端面が四角形から台形に代わり、かつ前記フルカラー発光ユニットが四角形から六角形に代わったことである。
【００１５】
図８は本考案の好ましい実施例の構造概略図その５である。本考案は複数のフルカラー発光ユニット（４０）と電子装置セット（図は省略）を含むフルカラー看板（４）を提供し、その内、前記電子装置は複数のコンセントと信号制御装置を有し、前記コンセントに縦式ＬＥＤを差し込んで電力を送ることができ、前記信号制御装置は前記コンセントの電力信号を制御することで、コンセントに差し込んだ縦式ＬＥＤを付けたり消したりすることができ、前記フルカラーＬＥＤ看板（４）の特徴は、前記フルカラー発光ユニット（４０）が、２個の赤色LED（４００、４００‘）、１個の緑色LED（４０１）、１個の青色LED（４０２）から構成され、かつ前記ＬＥＤ（４００、４００’、４０１，４０２）は縦型ＬＥＤであり、前記コンセントに差し込まれ、前記ＬＥＤは田字状に配列して配置され、各ＬＥＤの上端面はどれも多角形であり、どのフルカラー発光ユニット（４０）のどの上端面も四角形であり、それぞれ隣接するLEDとの距離は1.2mm以下で、かつ隣接するフルカラー発光ユニットの中心の距離はどれも8mm以下である。上述の田字状に配列して配置されたＬＥＤ（４００、４００’、４０１，４０２）は前記信号制御装置による制御と、ダミー画素に応じて制御技術を表示することにより、前記フルカラーＬＥＤ看板（４）の表示の明瞭度を高め、その内、ダミー画素が示す制御技術は画素を何度も使用する方式の制御技術で、前記フルカラーＬＥＤ看板（４）の解像度を高めることでイメージ効果をすばらしいものとし、そのため、前記フルカラーＬＥＤ看板（４）がイメージを表示する際、実際の画素を運用する技術で同程度の画素数のＬＥＤ表示のフルカラーＬＥＤ看板に比べて、ダミー画素を運用して表示する制御技術のフルカラーＬＥＤ看板（４）は実際の画素を運用する技術のフルカラーＬＥＤ看板に対し、四倍の明瞭度を有することができる。そこで、実際の画素を運用する技術のフルカラーＬＥＤ看板は、実際の画素を運用する技術のフルカラーＬＥＤ看板に対し四分の一の面積しか必要とせずに、同等の表示効果を得ることができる。
【００１６】
図９は本考案の好ましい実施例の構造概略図その６である。本実施例と実施例その５の違いは、前記ＬＥＤの上端面が四角形から台形に代わったことである。
【００１７】
図１０は本考案の好ましい実施例の構造概略図その７である。本実施例と実施例その５の違いは、前記ＬＥＤの上端面が四角形から三角形に代わったことである。
【００１８】
図１１は本考案の好ましい実施例の構造概略図その８である。本実施例と実施例その５の違いは、前記ＬＥＤの上端面が四角形から台形に代わり、かつ前記フルカラー発光ユニットが四角形から六角形に代わったことである。
【００１９】
上述に述べたように、本考案のフルカラー発光ユニットとフルカラーＬＥＤ看板は上端面が多角形の三色のＬＥＤであり、特定の間隔と田字状に配列して配置された方式を用いるので、そこで三色ＬＥＤの体積が大きすぎ、かつ中心間の距離が長すぎるという従来の状況を避けることができ、かつダミー画素に応じて制御技術を表示することができるので、ひいては密着度を高め、光線の混合効果がよく、高解像度となる効果が得られる。さらに、本考案のフルカラー発光ユニットとフルカラーＬＥＤ看板は縦型のＬＥＤで構成され、ゆえに発光する際に発生させる熱量が高温により毀損するほどではなく、ＬＥＤの使用上の寿命に影響しない。ゆえに、本考案のフルカラー発光ユニットとフルカラーＬＥＤ看板は、密着度が高く、光線の混合効果もよく、高解像度であるという効果が得られ、かつＬＥＤの使用上の寿命も確保でき、同時にフルカラー効果と放熱上の安全を兼ね備え、フルカラー表示の効果を完全に発揮できるので、そこで本考案には極めて進歩的であり実用新案登録申請の要件に合致するので、そこで法に基づきここに申請し、一日も早く実用新案登録申請を許可されることを望む。
【００２０】
以上に述べたのは本考案の詳細な説明であり、本考案の好ましい実施例の一つに過ぎず、本考案の実施範囲を制限することはない。ゆえに、本考案の申請範囲に従ってなされる同等の修飾や変化については、全て本考案の実用新案登録請求の範囲内に属する。
【図面の簡単な説明】
【００２１】
【図１】従来型のフルカラーＬＥＤ構造の概略図である。
【図２】三色ＳＭＤ−ＬＥＤ構造の概略図である。
【図３】本考案の好ましい実施例の立体図その１である。
【図４】本考案の好ましい実施例の構造概略図その１である。
【図５】本考案の好ましい実施例の構造概略図その２である。
【図６】本考案の好ましい実施例の構造概略図その３である。
【図７】本考案の好ましい実施例の構造概略図その４である。
【図８】本考案の好ましい実施例の構造概略図その５である。
【図９】本考案の好ましい実施例の構造概略図その６である。
【図１０】本考案の好ましい実施例の構造概略図その７である。
【図１１】本考案の好ましい実施例の構造概略図その８である。
【符号の説明】
【００２２】
１０、１０‘  赤色の縦式のLED
１１          青色の縦式のLED
１２          緑色の縦式のLED
１３          回路基板
２            フルカラーの発光ユニット
２０          赤色のLEDのダイス
２１          青色のLEDのダイス
２２          緑色のLEDのダイス
３０、３０‘  赤色のLED
３１          緑色のLED
３２          青色のLED
４            フルカラーのLED看板
４０          フルカラーの発光ユニット
４００、４００‘赤色のLED
４０１        緑色のLED
４０２        青色のLED
４０３        フルカラーの発光ユニットセンターの隙間
【図１】
0003125790.tif 000003
【図２】
0003125790.tif 000004
【図３】
0003125790.tif 000005
【図４】
0003125790.tif 000006
【図５】
0003125790.tif 000007
【図６】
0003125790.tif 000008
【図７】
0003125790.tif 000009
【図８】
0003125790.tif 000010
【図９】
0003125790.tif 000011
【図１０】
0003125790.tif 000012
【図１１】
0003125790.tif 000013
【手続補正書】
【提出日】平成18年7月21日(2006.7.21)
【手続補正１】
【補正対象書類名】実用新案登録請求の範囲
【補正対象項目名】全文
【補正方法】変更
【補正の内容】
【実用新案登録請求の範囲】
【請求項１】
田字状に配列された４個のLEDを含むフルカラーの発光ユニットであって、
各LEDの上端が多角形であり、且つ、相隣するそれぞれのLEDの隙間は1.2mmより小さいか同じであるであることを特徴とするフルカラーの発光ユニット。
【請求項２】
前記LEDは縦式のLEDであることを特徴とする請求項１に記載のフルカラーの発光ユニット。
【請求項３】
前記LEDの上端が四角形であることを特徴とする請求項1に記載のフルカラーの発光ユニット。
【請求項４】
前記LEDの上端が台形であることを特徴とする請求項1に記載のフルカラーの発光ユニット。
【請求項５】
前記LEDの上端が三角形であることを特徴とする請求項1に記載のフルカラーの発光ユニット。
【請求項６】
前記フルカラーの発光ユニットの上端が多角形であることを特徴とする請求項1に記載のフルカラーの発光ユニット。
【請求項７】
前記LEDに赤色のLED、緑色のLED、青色のLEDを含むことを特徴とする請求項1に記載のフルカラーの発光ユニット。
【請求項８】
前記LEDに２個の赤色のLED、１個の緑色のLED、１個の青色のLEDを含むことを特徴とする請求項7に記載のフルカラーの発光ユニット。
【請求項９】
田字状に配列された前記２個の赤色のLEDは相隣しないことを特徴とする請求項8に記載のフルカラーの発光ユニット。
【請求項１０】
前記フルカラーの発光ユニットはダミー画素に応じて制御技術を表示することを特徴とする請求項9に記載のフルカラーの発光ユニット。
【請求項１１】
フルカラーの発光ユニットを複数含むフルカラーのLED看板であって、前記フルカラーの発光ユニットは４個のLEDからなり、前記LEDは田字状に配列されており、各LEDの上端は多角形であり、相隣するそれぞれのLEDの隙間は1.2mmより小さいか同じで、相隣するそれぞれの発光ユニットのセンターの隙間は8mmより小さいか同じであることを特徴とするフルカラーのLED看板。
【請求項１２】
前記LEDは縦式のLEDであることを特徴とする請求項１１に記載のフルカラーのLED看板。
【請求項１３】
前記LEDの上端が四角形であることを特徴とする請求項１１に記載のフルカラーのLED看板。
【請求項１４】
前記LEDの上端が台形であることを特徴とする請求項１１に記載のフルカラーのLED看板。
【請求項１５】
前記LEDの上端が三角形であることを特徴とする請求項１１に記載のフルカラーのLED看板。
【請求項１６】
前記フルカラーの発光ユニットの上端が多角形であることを特徴とする請求項１１に記載のフルカラーのLED看板。
【請求項１７】
前記LEDに赤色のLED、緑色のLED、青色のLEDを含むことを特徴とする請求項１１に記載のフルカラーのLED看板。
【請求項１８】
前記LEDに２個の赤色のLEDと、１個の緑色のLEDと、１個の青色のLEDを含むことを特徴とする請求項１１に記載のフルカラーのLED看板。
【請求項１９】
田字状に配列された前記２個の赤色のLEDは相隣しないことを特徴とする請求項１１に記載のフルカラーのLED看板。
【請求項２０】
前記フルカラーの発光ユニットはダミー画素に応じて制御技術を表示することを特徴とする請求項１１に記載のフルカラーのLED看板。